(57)【特許請求の範囲】
【請求項１】
天井裏４に取付けられ送風機１２を備えた排気装置１０と、台所の調理器具の上方に取付けられるフード体１５と、この排気装置１０の主吸込口１３とフード体１５を連通するレンジフード用ダクト１４と、前記排気装置１０の主吐出口１６に接続した排気用ダクト１７と、前記排気装置１０の換気用ダクト接続口４０に接続し、かつ部屋の換気口６５に接続する換気用ダクト４２を備え、
前記排気装置１０を、装置本体１１と、この装置本体１１内の空気を吸い込んで排気用ダクト１７に吐出する送風機１２で構成し、
その装置本体１１は、下面が開口した箱体２０と、上面に送風機１２が取付けられ下面に主吸込口１３を有し、かつ箱体２０内の下部に取付けられるチャンバーボックス２３で相互に連通した上部室２４と下部室２５を有し、この下部室２５を送風機１２の吸込側に連通し、送風機１２の吐出口３８を前記主吐出口１６に連通し、
前記箱体２０に複数のハーフカット部３９を形成し、このハーフカット部３９を打ち抜くことで前記上部室２４に開口した換気用ダクト接続口４０となるようにし、
前記レンジフード用ダクト１４を天井パネル２の開口部２ａを挿通して調理器具の上方まで垂下させ、このレンジフード用ダクト１４の下端部にフード体１５を上下動自在に取付けたことを特徴とするレンジフード。
【請求項２】
主吸込口１３を開閉するレンジフード用ダンパー３０と、排気用ダクト１７と装置本体１１内を開・閉する換気用ダンパー４５を設けた請求項１記載のレンジフード。
【請求項３】
換気用ダクト４２に風量調節弁７０をそれぞれ設けた請求項１記載のレンジフード。
【発明の詳細な説明】
【０００１】
【発明の属する技術分野】
本発明は、台所の調理器具の上方に取付けられて調理時に発生する煙、オイルミスト等を捕集して屋外に排出するレンジフードに関する。
【０００２】
【従来の技術】
フード体内に送風機を取付け、送風機を駆動することで調理時に発生する煙、オイルミスト等を吸い込み、排出ダクトで屋外に排出するレンジフードが知られている。
【０００３】
【発明が解決しようとする課題】
前述のレンジフードのフード体は送風機を取付けるスペースと煙、オイルミスト等（つまり、空気）を捕集するスペースを有するので、そのフード体が大きい。このように、従来のレンジフードでは調理器具の上方に大きなフード体が設けられているから、調理器具の上方のスペースが狭く、調理しづらいし、フード体が目立つから見栄えが悪い。
【０００４】
また、フード体の形状は送風機の形状によって制約を受け、任意形状のフード体とすることができず、使用者の好み等に合致したフード体とすることができない。
【０００５】
また、送風機は電動モータでファンを回転駆動するものである。この送風機は調理時に発生した煙、オイルミスト等を屋外に確実に排出するために大風量が必要であり、電動モータでファンを高速回転して大風量としている。このために、電動モータ、ファンの騒音が大きく、その大きな電動モータ、ファンの騒音が調理者、台所内の人に直接的に伝わるので、調理者、台所内の人が不快を感じる。
【０００６】
そこで、本発明は前述の課題を解決できるようにしたレンジフードを提供することを目的とする。
【０００７】
【課題を解決するための手段】
第１の発明は、天井裏４に取付けられ送風機１２を備えた排気装置１０と、台所の調理器具の上方に取付けられるフード体１５と、この排気装置１０の主吸込口１３とフード体１５を連通するレンジフード用ダクト１４と、前記排気装置１０の主吐出口１６に接続した排気用ダクト１７と、前記排気装置１０の換気用ダクト接続口４０に接続し、かつ部屋の換気口６５に接続する換気用ダクト４２を備え、
前記排気装置１０を、装置本体１１と、この装置本体１１内の空気を吸い込んで排気用ダクト１７に吐出する送風機１２で構成し、
その装置本体１１は、下面が開口した箱体２０と、上面に送風機１２が取付けられ下面に主吸込口１３を有し、かつ箱体２０内の下部に取付けられるチャンバーボックス２３で相互に連通した上部室２４と下部室２５を有し、この下部室２５を送風機１２の吸込側に連通し、送風機１２の吐出口３８を前記主吐出口１６に連通し、
前記箱体２０に複数のハーフカット部３９を形成し、このハーフカット部３９を打ち抜くことで前記上部室２４に開口した換気用ダクト接続口４０となるようにし、
前記レンジフード用ダクト１４を天井パネル２の開口部２ａを挿通して調理器具の上方まで垂下させ、このレンジフード用ダクト１４の下端部にフード体１５を上下動自在に取付けたことを特徴とするレンジフードである。
【００１２】
第２の発明は、第１の発明において、主吸込口１３を開閉するレンジフード用ダンパー３０と、排気用ダクト１７と装置本体１１内を開・閉する換気用ダンパー４５を設けたレンジフードである。
【００１３】
第３の発明は、第１の発明における換気用ダクト４２に風量調節弁７０をそれぞれ設けたレンジフードである。
【００１４】
【作    用】
第１の発明によれば、送風機１２を備えた排気装置１０を天井裏４に設置されるので、フード体１５は空気を捕集するスペースを有するだけであり、フード体１５が小型となる。
【００１５】
これによって、調理器具の上方のスペースが広くなり、調理し易くなるし、フード体１５が目立つことがなく見栄えが良い。
【００１６】
また、フード体１５の形状は送風機の形状に関係なく任意の形状とすることができ、使用者の好み等に合致したフード体１５とすることができる。
【００１７】
また、送風機１２の発生する大きな騒音は天井パネル２等で減衰され、調理者、台所内の人に伝わる送風機１２の騒音が低減するので、調理者、台所内の人が不快を感じることがない。
【００１８】
また、フード体１５がレンジフード用ダクト１４に対して上下動自在であるから、フード体１５の取付け高さを調節できる。これによって、調理器具の高さに応じてフード体１５を上下に移動して取付けて調理器具からフード体１５下端までの距離を消防法の規制により定められた距離以上に確保できる。
【００１９】
また、レンジフードの排気装置１０を利用して部屋を換気できるし、排気装置１０が天井裏４に取付けてあるからその換気用ダクト４２も天井裏４に配設できる。
【００２０】
また、レンジフードを運転して台所内の空気を送風機１２で大風量排気する際には、排気用ダクト４２で部屋内の空気が吸い込みされて前述の送風機１２で排出されるので、高気密化した住宅でレンジフード運転により室内が負圧の状態となっても、換気する部屋の空気が台所等に逆流することがない。
【００２１】
これによって、便所の臭気が台所等に洩れることがない。
【００２２】
また、ハーフカット部３９を打ち抜くことで換気用ダクト接続口４０を形成できるから、取付け現場で簡単に換気用ダクト４２を接続できるし、その換気用ダクト４２の本数を任意に変更できる。
【００２３】
また、箱体２０内の下部にチャンバーボックス２３を取付けることで排気装置１０を組み立てできるから、取付現場において箱体２０を天井裏４に配設して換気用ダクト４２を接続し、その後に送風機１２とともにチャンバーボックス２３を取付けることができる。
【００２４】
これにより、ダクト接続時に作業者が箱体２０のみを支え、ダクト接続後に送風機１２を取付けするので、そのダクト接続作業が容易となるし、箱体２０が落下する等の危険が少なくなる。
【００２５】
第２の発明によれば、レンジフード用ダンパー３０で主吸込口１３を全閉、全開、半開できるし、各換気用ダンパー４５で換気用ダクト４２を開・閉できる。
【００２６】
これにより、レンジフード運転時には主吸込口１３を全開すると共に、各換気用ダクト４２を閉として送風機１２の全風量を煙、オイルミスト等の排出に利用できる。また、レンジフード休止時に換気する場合には、主吸込口１３を全閉することで送風機１２の全風量を換気に利用できる。
また、レンジフード休止時には主吸込口１３を半開とすると共に、換気用ダクト４２を開として各部屋の換気と調理器具近傍の換気ができるから、調理時に発生した残臭等を排出できる。
【００２７】
したがって、レンジフード用ダンパー３０、換気用ダンパー４５を適宜開閉することで、種々の使い方ができる。
【００２８】
第３の発明によれば、各換気用ダクト４２に設けた風量調節弁７０によって換気用ダクト４２に流通する空気の抵抗を調整できる。
【００２９】
これにより、各換気用ダクト４２の空気流通抵抗を同一として、複数の部屋を同一の換気風量として換気できる。
【００３０】
【発明の実施の形態】
図１に示すように、はり等の天井構造物１に天井パネル２を間隔を置いて取付けて天井３としてあり、その天井裏４、例えば天井構造物１にレンジフード用の排気装置１０が取付けてある。
【００３１】
前記排気装置１０は中空の装置本体１１内に送風機１２を取付けたもので、その主吸込口１３にレンジフード用ダクト１４が接続し、このレンジフード用ダクト１４は天井パネル２の開口部２ａから台所内に突出し、そのレンジフード用ダクト１４の下部にフード体１５が取付けてある。このフード体１５は図示しない調理器具の上方に位置している。
【００３２】
前記排気装置１０の主吐出口１６に排気用ダクト１７が接続用筒体１８を介して接続している。これによって、排気装置１０、レンジフード用ダクト１４、フード体１５、排気用ダクト１７でレンジフードを構成している。
【００３３】
前述のように、送風機１２を備えた排気装置１０を天井裏４に設置したので、フード体１５は空気を捕集するスペースを有するだけであり、フード体１５が小型となる。
【００３４】
これによって、調理器具の上方のスペースが広くなり、調理し易くなるし、フード体１５が目立つことがなく見栄えが良い。
【００３５】
また、フード体１５の形状は送風機の形状に関係なく任意の形状とすることができ、使用者の好み等に合致したフード体１５とすることができる。
【００３６】
また、送風機１２の発生する大きな騒音は天井パネル２等で減衰され、調理者、台所内の人に伝わる送風機１２の騒音が低減するので、調理者、台所内の人が不快を感じることがない。
【００３７】
なお、フード体１５をレンジフード用ダクト１４に連結して吊り下げるように取付けしたが、フード体１５を壁に取付け、そのフード体にレンジフード用ダクト１４を接続しても良い。
【００３８】
また、装置本体１１に送風機１２を取付けて排気装置１０としたのは、後述するように他の部屋の換気を兼用するためであって、レンジフードのみとして用いる場合には送風機１２のみで換気装置１０とすることが可能である。
【００３９】
次に、レンジフード用ダクト１４とフード体１５の連結について説明する。
前記レンジフード用ダクト１４は円筒形状で、その上端部が図１に示すように主吸込口１３の接続用筒体５０に嵌合してビス５１で連結してある。このレンジフード用ダクト１４は天井パネル２の開口部２ａを閉塞するカバー体５２を貫通して下方にほぼ垂直に突出し、そのレンジフード用ダクト１４の下部にフード体１５が上下方向の位置を調節可能に取付けてある。
【００４０】
このレンジフード用ダクト１４は天井パネル２に開口部２ａを形成し、排気装置１０を取付けた後に、そのレンジフード用ダクト１４をカバー体５２に挿通して接続用筒体５０に連結する。この後にカバー体５２を天井パネル２に取付けて開口部２ａを閉塞する。これによって、開口部２ａの大きさが多少異なってもカバー体５２で開口部２ａを閉塞できる。
【００４１】
なお、レンジフード用ダクト１４の上端部に取付用フランジを設け、この取付用フランジを主吸込口１３の開口縁にボルトで直接取付けても良い。
【００４２】
前記フード体１５は図２に示すように下面を開口した箱状で、その上面板１５ａの中央部に開口部５３が形成され、その開口部５３と対向してフィルター５４がブラケット５５で取付けてある。前記上面板１５ａの開口部５３の周縁には筒状体５６が固定してあり、この筒状体５６にレンジフード用ダクト１４の下端部が上下スライド可能に嵌まり込んでいる。
【００４３】
前記レンジフード用ダクト１４の下端部には複数の固定ねじ穴５７が上下方向に間隔を置いて形成され、筒状体５６から固定ねじ５８をいずれか１つの固定ねじ穴５７にねじ込むことでレンジフード用ダクト１４と筒状体５６を連結している。前記筒状体５６、固定ねじ５８はカバー５９で見えないようにしてある。
【００４４】
前述のようであるから、固定ねじ５８を異なる固定ねじ穴５７にねじ込むことでフード体１５の取付け高さを調節できる。これによって、調理器具の高さに応じてフード体１５を上下に移動して取付けて調理器具からフード体１５下端までの距離を消防法の規制により定められた距離以上に確保できる。
【００４５】
しかも、レンジフード用ダクト１４の下部をフード体１５の筒状体５６に嵌め込み、固定ねじ５８で固定した構造によって、フード体１５の取付け高さを調節できるので、そのフード体１５の取付け高さを調節する構造が簡単である。
【００４６】
次に排気装置１０を各部屋の換気兼用とするための各部材の具体構造を説明する。
排気装置１０の装置本体１１は図３と図４に示すように、下面を開口した正方形の箱体２０と、下面を開口した正方形の箱状のチャンバーボックス本体２１の開口縁にチャンバーボックス板２２を取付けた正方形の中空のチャンバーボックス２３を備え、チャンバーボックス２３を箱体２０の下部に嵌合して取付け、上部室２４と下部室２５を有している。
【００４７】
前記チャンバーボックス本体２１の上面板２１ａの平面中央部には円形の開口部２６が形成され、その上面板２１ａの一側寄りに矩形状の流入口２７が形成してある。この流入口２７で上部室２４と下部室２５が連通している。前記箱体２０の上面には取付金具２８が取付けてある。
【００４８】
前記チャンバーボックス板２２には主吸込口１３が形成してあり、その主吸込口１３の周縁に沿って前述の接続用筒体５０が一体的に設けてある。接続用筒体５０は別体としてビスで固着しても良い。
【００４９】
前記チャンバーボックス板２２には主吸込口１３を開閉するレンジフード用ダンパー３０が取付けてある。このレンジフード用ダンパー３０はダンパー用電動モータ３１で回転駆動される回転軸３２に弁３３を取付けたものである。
【００５０】
前記送風機１２はケーシング３４内にファン３５を設け、そのファン３５を送風機用電動モータ３６で回転駆動するものである。前記ケーシング３４は吸込口３７と吐出口３８を有している。このケーシング３４がチャンバーボックス本体２１の上面に取付けられ、その吸込口３７が開口部２６と連通し、吐出口３８は主吐出口１６と連通する。
【００５１】
前記箱体２０の各側面板２０ａにおける上部寄りに矩形状のハーフカット部３９がそれぞれ形成してあり、いずれか１つのハーフカット部３９を打ち抜くことで主吐出口１６とし、他のハーフカット部３９を打ち抜くことで換気用ダクト接続口４０とする。この換気用ダクト接続口４０には接続用筒体４１を介して換気用ダクト４２が接続される。この換気用ダクト４２には電動モータ４３で弁４４を回転して開閉する換気用ダンパー４５が取付けてある。なお、主吐出口１６はあらかじめ形成しても良い。
【００５２】
前述の構造であるから、各換気用ダンパー４５を閉じてレンジフード用ダンパー３０を全開として送風機１２を駆動すると、送風機１２の吸込口３７、開口部２６、下部室２５、主吸込口１３、レンジフード用ダクト１４を経てフード体１５内の空気を吸込み、その吸込んだ空気は送風機１２の吐出口３８、主吐出口１６、排気用ダクト１７を経て屋外に排出される。
【００５３】
これによって、調理時に発生した煙、オイルミスト等をフード体１５で捕集して屋外に排出できる。
【００５４】
また、送風機１２の空気吸い込み力は下部室２５、流入口２７、上部室２４、換気用ダクト接続口４０に作用するが、換気用ダクト４２は換気用ダンパー４５で全閉されているから各部屋から空気を吸い込むことがない。これによって、送風機１２の全風量がレンジフード用として利用されるので、送風機１２の最大風量を大きくせずに調理時に発生した煙、オイルミスト等を確実に屋外に排出できる。
【００５５】
レンジフード用ダンパー３０を全閉し、換気用ダンパー４５を全開として送風機１２を駆動すると、送風機１２の吸込口３７、開口部２６、下部室２５、流入口２７、上部室２５、換気用ダクト接続口４０、換気用ダクト４２を経て各部屋の空気を吸い込んで、送風機１２の吐出口３８、主吐出口１６、排気ダクト１７から屋外に排出される。
【００５６】
これによって、各部屋内の空気を屋外に排出して各部屋を換気できる。
【００５７】
また、レンジフード用ダンパー３０が全閉しているからフード体１５から空気を吸い込むことがなく、送風機１２の全風量を部屋の換気に利用される。
【００５８】
これによって、送風機１２を最大風量とした場合に１つの部屋の必要換気風量が少ないことによって、多くの部屋を換気できる。
【００５９】
また、換気する部屋の数が少なく必要換気全風量が送風機１２の最大風量よりも少ない場合には、送風機１２の風量（電動モータ３６の回転数）を少なくできる。
【００６０】
この場合には、送風機１２を小風量とすると共に、換気用ダンパー４５を全開として２４時間連続駆動して常時各部屋を換気し、レンジフードを運転する時に送風機１２を最大風量とし、換気用ダンパー４５を全閉、レンジフード用ダンパー３０を全開とすれば良い。
【００６１】
また、レンジフードを停止して各部屋を換気する時にレンジフード用ダンパー３０を半開として、台所周囲を換気（例えば、残臭除去）するようにしても良い。
【００６２】
なお、前記レンジフード用ダンバー３０、各換気用ダンパー４５は、異常温度を検知して全閉する温度過昇防止装置付きダンパーとしても良い。
【００６３】
このようにすれば、火災、または調理で発生した炎が他の部屋に回らないようにできる。
【００６４】
また、装置本体１１の箱体２０の各側面にハーフカット部３９をそれぞれ形成し、そのハーフカット部３９を打ち抜いて換気用ダクト接続口４０とする構成としたので、換気用ダクト４２の接続本数をハーフカット部３９の数内で任意に選択できるし、１本又は２本の換気用ダクト４２を接続する場合には、その換気用ダクト４２の接続位置（向き）を任意に選択できる。
【００６５】
また、箱体２０内に送風機１２を備えたチャンバー２３を嵌合して取付けることで排気装置１０としたので、施工時にはまず箱体２０に排気用ダクト１７、換気用ダクト４２をそれぞれ接続し、その後に送風機１２を備えたチャンバー２３を取付けて排気装置１０を組み立てできる。
【００６６】
これにより、ダクト接続時に作業者が箱体２０のみを支え、ダクト接続後に送風機１２を取付けするので、そのダクト接続作業が容易となるし、箱体２０が落下する等の危険が少なくなる。
【００６７】
つまり、排気装置１０は送風機１２のために大重量であり、排気装置１０全体を支えながらダクトを接続するのは大変であるし、誤って排気装置１０が落下することがあって危険である。
【００６８】
次に、排気装置１０で部屋を換気する具体例を説明する。
前記換気用ダクト４２は図５に示すように、浴室６０、便所６１、脱衣場６２、台所６３、複数の居室６４の各換気口６５に接続している。
また、前記各換気用ダクト４２には流通する風量を調節する風量調節弁７０がそれぞれ設けてある。例えば各換気口６５の近くにそれぞれ設けてある。
【００６９】
前記風量調節弁７０は図６に示すように、筒体７１の内部に開口部７２を有するプレート７３を取付け、このプレート７３にネジ杆７４を螺合し、そのネジ杆７４にプレート７５を取付け、ネジ杆７４を正転、逆転してプレート７５をプレート７３に対して接近、離隔させてプレート７３とプレート７５との間隔を調整することで風量を調節する。
【００７０】
つまり、プレート７３とプレート７５の間隔を大きくすれば両者間の空気流通面積が大きくなって流通抵抗が小さく大風量が流れ、プレート７３とプレート７５の間隔を小さくすれば両者間の空気流通面積が小さくなって流通抵抗が大きく小風量が流れる。すなわち、風量調節弁７０は空気流通抵抗を増減するものである。
【００７１】
前記各風量調節弁７０は、換気口６５から送風機１２の吸込口（上部室２４）までの距離（換気用ダクト４２の長さ）等による吸気抵抗の大きさに応じて空気流通面積を調整して送風機１２の吸込力が各換気口６５に等しく作用するようにする。具体的には、吸気抵抗の大きな換気用ダクト４２に設けた風量調節弁７０の空気流通面積を大きく、吸気抵抗の小さな換気用ダクト４２に設けた風量調節弁７０の空気流通面積を小さくして各換気用ダクト４２の吸気抵抗を同一とする。
【００７２】
これによって、各換気口６５から均一に空気を吸い込みできるから、複数の部屋を同時に同一風量だけ換気できる。つまり、換気用ダクト４２の長さ、換気口形状、部屋の気密度によって各換気用ダクト４２に流通する空気の流通抵抗が異なり、１つの送風機１２で換気すると、流通抵抗の小さな換気用ダクト４２からの吸気量（換気量）が多くなって換気のかたよりが生じるので、前述のように施工時に換気用ダクト長さ、換気口形状等から流通抵抗値を算出し、それに応じて風量調節弁７０の風量を調節する。
【００７３】
前述のように風量調節弁７０で各換気用ダクト４２の流通抵抗を同一に調節して各部屋の換気量を同一とした場合に、換気する部屋の数に応じて送風機１２の風量を調整するようにしても良い。
【００７４】
例えば、浴室６０、便所６１、脱衣場６２（第１の部屋）、又は２つの居室６４，６４（第２の部屋）、１つの居室６４と台所６３（第３の部屋）をそれぞれ単独に換気する場合には送風機１２を弱運転して風量を小とし、第１の部屋と第２の部屋又は第１の部屋と第３の部屋等のように２つの部屋を同時に換気する場合には送風機１２を中運転して風量を中とする。各部屋を同時に換気する場合には送風機１２を強運転して風量を大とする。
【００７５】
また、送風機用電動モータ３６を無段階変速のインバータ制御モータとし、送風機１２の風量を無段階に設定可能とし、各部屋の必要換気量をあらかじめ設定する。そして、換気する部屋の全ての必要換気量を応じて送風機１２の風量を設定するようにしても良い。
【００７６】
次に操作装置について説明する。
図７に示すように、操作パネル８０にはレンジフード運転スイッチ８１、第１・第２・第３換気スイッチ８２，８３，８４、レンジフード換気運転スイッチ８５が設けてある。これらのスイッチの信号はコントローラ８６に送られる。コントローラ８６は各電動モータ３６，３１，４３，４３，４３を駆動制御する。
【００７７】
前記操作パネル８０はフード体１５に取付けても良いし、台所壁面の調理器具近くに取付けても良い。また、換気スイッチを別々とし各部屋の出入口等にそれぞれ取付けても良い。
【００７８】
前記コントローラ８６は、レンジフード運転信号が入力されると、送風機用電動モータ３６とレンジフード用ダンパー３０のダンパー用電動モータ３１を運転制御して送風機１２を高速回転駆動すると共に、レンジフード用ダンパー３０を全開とする。この時、各換気用ダンパー４５は全閉となっている。
【００７９】
前記コントローラ８６は、レンジフード換気運転信号が入力されると、各電動モータを運転制御して送風機１２を高速回転駆動（強運転）すると共に、レンジフード用ダンパー３０を半開とし、各換気用ダンパー４５を全開とする。なお、各換気用ダンパー４５を全閉として送風機１２を低速回転駆動（弱運転）しても良い。
【００８０】
前記コントローラ８６は、いずれか１つの換気運転信号が入力されると、いずれか１つの電動モータ４３と送風機用電動モータ３６を駆動して送風機１２を低速回転駆動（弱運転）すると共に、１つの換気用ダンパー４５を全開とする。この時、レンジフード用ダンパー３０は全閉でも半開でも良い。
【００８１】
前記コントローラ８６は、２つの換気運転信号が入力されると、２つの電動モータ４３と送風機用電動モータ３６を駆動して送風機１２を中速回転駆動（中運転）すると共に、２つの換気用ダンパー４５を全開とする。この時、レンジフード用ダンパー３０は全閉でも半開でも良い。
【００８２】
前記コントローラ８６は、３つの換気運転信号が入力されると、３つの電動モータ４３と送風機用電動モータ３６を駆動して送風機１２を高速回転駆動（強運転）すると共に、３つの換気用ダンパー４５を全開とする。この時、レンジフード用ダンパー３０は全閉でも半開でも良い。
【００８６】
【発明の効果】
第１の発明によれば、送風機１２を備えた排気装置１０を天井裏４に設置されるので、フード体１５は空気を捕集するスペースを有するだけであり、フード体１５が小型となる。
【００８７】
これによって、調理器具の上方のスペースが広くなり、調理し易くなるし、フード体１５が目立つことがなく見栄えが良い。
【００８８】
また、フード体１５の形状は送風機の形状に関係なく任意の形状とすることができ、使用者の好み等に合致したフード体１５とすることができる。
【００８９】
また、送風機１２の発生する大きな騒音は天井パネル２等で減衰され、調理者、台所内の人に伝わる送風機１２の騒音が低減するので、調理者、台所内の人が不快を感じることがない。
【００９０】
また、フード体１５がレンジフード用ダクト１４に対して上下動自在であるから、フード体１５の取付け高さを調節できる。これによって、調理器具の高さに応じてフード体１５を上下に移動して取付けて調理器具からフード体１５下端までの距離を消防法の規制により定められた距離以上に確保できる。
【００９１】
また、レンジフードの排気装置１０を利用して部屋を換気できるし、排気装置１０が天井裏４に取付けてあるからその換気用ダクト４２も天井裏４に配設できる。
【００９２】
また、レンジフードを運転して台所内の空気を送風機１２で大風量排気する際には、排気用ダクト４２で部屋内の空気が吸い込みされて前述の送風機１２で排出されるので、高気密化した住宅でレンジフード運転により室内が負圧の状態となっても、換気する部屋の空気が台所等に逆流することがない。
【００９３】
これによって、便所の臭気が台所等に洩れることがない。
【００９４】
また、ハーフカット部３９を打ち抜くことで換気用ダクト接続口４０を形成できるから、取付け現場で簡単に換気用ダクト４２を接続できるし、その換気用ダクト４２の本数を任意に変更できる。
【００９５】
また、箱体２０内の下部にチャンバーボックス２３を取付けることで排気装置１０を組み立てできるから、取付現場において箱体２０を天井裏４に配設して換気用ダクト４２を接続し、その後に送風機１２とともにチャンバーボックス２３を取付けることができる。
【００９６】
これにより、ダクト接続時に作業者が箱体２０のみを支え、ダクト接続後に送風機１２を取付けするので、そのダクト接続作業が容易となるし、箱体２０が落下する等の危険が少なくなる。
【００９７】
第２の発明によれば、レンジフード用ダンパー３０で主吸込口１３を全閉、全開、半開できるし、各換気用ダンパー４５で換気用ダクト４２を開・閉できる。
【００９８】
これにより、レンジフード運転時には主吸込口１３を全開すると共に、各換気用ダクト４２を閉として送風機１２の全風量を煙、オイルミスト等の排出に利用できる。また、レンジフード休止時に換気する場合には、主吸込口１３を全閉することで送風機１２の全風量を換気に利用できる。
また、レンジフード休止時には主吸込口１３を半開とすると共に、換気用ダクト４２を開として各部屋の換気と調理器具近傍の換気ができるから、調理時に発生した残臭等を排出できる。
【００９９】
したがって、レンジフード用ダンパー３０、換気用ダンパー４５を適宜開閉することで、種々の使い方ができる。
【０１００】
第３の発明によれば、各換気用ダクト４２に設けた風量調節弁７０によって換気用ダクト４２に流通する空気の抵抗を調整できる。
【０１０１】
これにより、各換気用ダクト４２の空気流通抵抗を同一として、複数の部屋を同一の換気風量として換気できる。
【図面の簡単な説明】
【図１】  本発明の実施の形態を示すレンジフードの全体正面図である。
【図２】  レンジフード用ダクトとフード体の連結部の一部破断正面図である。
【図３】  排気装置の断面図である。
【図４】  排気装置の分解斜視図である。
【図５】  部屋の換気構造を示す概略平面図である。
【図６】  風量調節弁の斜視図である。
【図７】  制御回路図である。
【符号の説明】
２…天井パネル、２ａ…開口部、４…天井裏、１０…排気装置、１１…装置本体、１２…送風機、１３…主吸込口、１４…レンジフード用ダクト、１５…フード体、１６…主吐出口、１７…排気用ダクト、２０…箱体、２３…チャンバーボックス、３０…レンジフード用ダンパー、３１…ダンパー用電動モータ、３６…送風機用電動モータ、３９…ハーフカット部、４２…換気用ダクト、４３…電動モータ、４５…換気用ダンパー、５３…開口部、５４…フィルター、５６…筒状体、５７…固定ねじ穴、５８…固定ねじ、６５…換気口、７０…風量調節弁、８０…操作パネル、８１…レンジフード運転スイッチ、８２…第１換気スイッチ、８３…第２換気スイッチ、８４……第３換気スイッチ、８５…レンジフード換気運転スイッチ、８６…コントローラ。
【図１】
0003799742.tif 000002
【図２】
0003799742.tif 000003
【図３】
0003799742.tif 000004
【図４】
0003799742.tif 000005
【図５】
0003799742.tif 000006
【図６】
0003799742.tif 000007
【図７】
0003799742.tif 000008